【事件の表示】
　特願２０１７−１２１４４２「スタンプタッチ認証方法及びシステム」拒絶査定不服審判事件〔平成２９年１０月１２日出願公開、特開２０１７−１８８１４４、請求項の数（１３）〕について、次のとおり審決する。
【結　論】
　原査定を取り消す。
　本願の発明は、特許すべきものとする。
【理　由】
第１　手続の経緯
　本願は，２０１３年１１月１９日を国際出願日とする特願２０１５−５４２９５９号（パリ条約による優先権主張２０１２年１１月１９日，韓国，２０１３年９月９日，韓国，２０１３年１０月８日，韓国）の一部を平成２９年６月２１日に新たな特許出願としたものであって，平成３０年６月１８日付けで拒絶の理由が通知され，同年１０月３日に意見書とともに手続補正書が提出され，平成３１年３月２２日付けで拒絶査定（謄本送達日同年４月２日。以下，「原査定」という。）がなされ，これに対して令和１年８月１日に拒絶査定不服審判の請求がなされるとともに手続補正がなされ，同年１０月１０日付けで審査官により特許法１６４条３項の規定に基づく報告がなされたものである。
　なお，本願に対しては，平成３０年１２月２８日付け，令和１年８月２１日付けで刊行物提出書が提出されている。
第２　原査定の概要
　原査定（平成３１年３月２２日付け拒絶査定）の概要は次のとおりである。
（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
●理由１について
・請求項　１−４
・引用文献等　１−２、５
・請求項　５
・引用文献等　１−３、５
・請求項　６−１１
・引用文献等　１−５
・請求項　１２
・引用文献等　１−６
・請求項　１３
・引用文献等　１−７
・請求項　１４
・引用文献等　１−８
＜引用文献等一覧＞
１.米国特許第８３１０４５３号明細書
２.特開平１１−１４９４５４号公報（周知技術を示す文献）
３.特開２０１２−１６８６１９号公報（周知技術を示す文献）
４.特開２００３−３４６０７７号公報（周知技術を示す文献）
５.特開平１１−１２０３１１号公報（周知技術を示す文献）
６.特開２０１０−２８２３２２号公報（周知技術を示す文献）
７.蛭子隆彦，音響信号を利用した個人認証システム，沖テクニカルレビュー，沖電気工業株式会社，２００６年　１月　１日，第２０５号，Ｖｏｌ．７３，Ｎｏ．１，５２−５５頁（周知技術を示す文献）
８.特開平５−８９２２０号公報（周知技術を示す文献）
第３　審判請求時の補正について
　審判請求時の補正（以下，「本件補正」という。）は，特許法１７条の２第３項から第６項までの要件に違反しているものとはいえない。
　審判請求時の補正によって，請求項１に「前記単一の設計上のタッチ点が認識された際に、前記タッチ点、または算出された前記幾何学的位置関係が、前記タッチ認証条件に含まれる前記設計上の幾何学的位置関係とマッチングするように、前記認識された設計上のタッチ点を前記基準点として利用することにより座標回転を行うこと」という事項を追加する補正は，特許請求の範囲の減縮を目的とするものである。
　また，「前記単一の設計上のタッチ点が認識された際に、前記タッチ点、または算出された前記幾何学的位置関係が、前記タッチ認証条件に含まれる前記設計上の幾何学的位置関係とマッチングするように、前記認識された設計上のタッチ点を前記基準点として利用することにより座標回転を行うこと」という事項は，当初明細書等の特許請求の範囲の請求項８（本件補正前の請求項７）に記載されているから，当該補正は新規事項を追加するものではない。
　そして，以下第４乃至第６に示すように，補正後の請求項１乃至１３に係る発明は，独立特許要件を満たすものである。
第４　本願発明
　本願請求項１乃至１３に係る発明（以下「本願発明１」乃至「本願発明１３」という。）は，令和１年８月１日付けの手続補正書によって補正された特許請求の範囲の請求項１乃至１３に記載された，次のとおりのものと認める。
「【請求項１】
　多重タッチを支援する静電式タッチスクリーンと連携されたシステムにおいて実行されるスタンプタッチ認証方法であって、
　タッチスタンプに具備されたタッチ部の距離関係と角度関係の中で少なくとも一つを含む設計上の幾何学的位置関係を含むタッチ認証条件を保存媒体に保存する第１段階と、
　前記タッチスタンプの前記タッチ部を前記静電式タッチスクリーンにタッチすることにより認識される構成要素値を含むタッチ認識情報を受信する第２段階と、
　前記構成要素値を利用して前記静電式タッチスクリーン上のタッチを通じて認識されたタッチ点間の相互位置関係を読み取り、前記タッチ点間の前記相互位置関係が、前記タッチスタンプの前記タッチ部を前記静電式タッチスクリーン上にタッチすることにより形成できる位置関係の範囲内に入るか否かを判定する第３段階と、
　前記タッチ点間の前記相互位置関係が、前記タッチスタンプの前記タッチ部をタッチすることにより形成できる前記位置関係の範囲内に入ると判定された場合に、前記構成要素値を利用して、前記設計上の幾何学的位置関係と比較するための前記タッチ点の幾何学的位置関係を算出する第４段階と、
　算出された前記タッチ点の前記幾何学的位置関係が許容された誤差範囲内で前記タッチ認証条件に含まれる前記設計上の幾何学的位置関係とマッチングするか否かを解析する第５段階と、
　算出された前記タッチ点の前記幾何学的位置関係が許容された誤差範囲内で前記設計上の幾何学的位置関係とマッチングするか否かを解析したタッチ認証結果を生成する第６段階と、を含み、
　前記第２段階は、
　前記タッチ部の前記静電式タッチスクリーンへのタッチを、同時タッチ条件、固定タッチ条件、静的タッチ条件、動的タッチ条件の少なくとも１つのタッチ条件を選択的に適用して判断すること、を含み、
　前記第５段階は、
　前記タッチ点間の前記相互位置関係を読み取ることにより、前記タッチスタンプにおける設計上の固定位置に配置される単一の設計上のタッチ部に対応する単一の設計上のタッチ点を認識することと、
　前記認識された設計上のタッチ点を基準点として利用することにより、算出された前記幾何学的位置関係が、許容された誤差範囲内で前記タッチ認証条件に含まれる前記設計上の幾何学的位置関係とマッチングするか否かを解析すること、
　を含み、
　前記単一の設計上のタッチ点が認識された際に、前記タッチ点、または算出された前記幾何学的位置関係が、前記タッチ認証条件に含まれる前記設計上の幾何学的位置関係とマッチングするように、前記認識された設計上のタッチ点を前記基準点として利用することにより座標回転を行うこと、
　をさらに含むスタンプタッチ認証方法。
　　【請求項２】
　前記設計上の幾何学的位置関係は、前記タッチスタンプを設計または製作する過程で、予め定められた数のタッチ部を配置するための座標関係をさらに含む請求項１に記載のスタンプタッチ認証方法。
　　【請求項３】
　前記タッチ認識情報の前記構成要素値は、前記タッチスタンプがタッチされる前記静電式タッチスクリーンに対応する座標系上の座標値を含み、
　前記構成要素値を、前記設計上の幾何学的位置関係に対応する座標系上の座標値に変換すること、
　を含む請求項１に記載のスタンプタッチ認証方法。
　　【請求項４】
　前記第３段階は、前記構成要素値を利用して確認された有効なタッチ点の数と前記タッチスタンプに具備された前記タッチ部の数を比較することと、それらの数が互いに同じか否かを判定すること、
　を含む請求項１に記載のスタンプタッチ認証方法。
　　【請求項５】
　前記第３段階は、前記構成要素値を利用して確認された前記タッチ点間の距離と前記タッチスタンプに前記タッチ部を配置するために設定される最小区別認識距離を比較することと、前記タッチ点間の距離が前記最小区別認識距離と等しいか、あるいはそれより大きいか否かを判定すること、
　を含む請求項１に記載のスタンプタッチ認証方法。
　　【請求項６】
　前記第３段階は、前記構成要素値を利用して確認された前記タッチ点の位置と前記タッチスタンプに前記タッチ部を配置するために設定される設計上のエリア条件を比較することと、前記タッチ点の前記位置が、前記設計上のエリア条件に従って前記タッチ部が配置されるエリア内の位置か否かを判定すること、
　を含む請求項１に記載のスタンプタッチ認証方法。
　　【請求項７】
　前記タッチスタンプは、単一の設計上のタッチ部を、設計上の固定位置で前記静電式タッチスクリーンにタッチされるＮ(Ｎ≧５)個のタッチ部内に配置すること、
　ｎ(ｎ≧４)個のタッチ部を算出された位置に配置すること、
　により設計製作される請求項１に記載のスタンプタッチ認証方法。
　　【請求項８】
　前記第５段階は、
　前記静電式タッチスクリーンを通じてタッチされる前記Ｎ個のタッチ点の相互位置関係を読み取ることにより　Ｎ個のタッチ点内の前記タッチスタンプの前記設計上の固定位置に配置される前記単一の設計上のタッチ部に対応する単一の設計上のタッチ点を認識することと、
　前記認識された設計上のタッチ点を基準点として利用することにより算出された前記Ｎ個のタッチ点の幾何学的位置関係が、許容された誤差範囲内で前記タッチ認証条件に含まれる前記設計上の幾何学的位置関係とマッチングするか否かを解析すること、
　を含む請求項７に記載のスタンプタッチ認証方法。
　　【請求項９】
　前記単一の設計上のタッチ点が認識された際に、Ｎ−１個のタッチ点、または算出された前記幾何学的位置関係が、前記タッチ認証条件に含まれる前記設計上の幾何学的位置関係とマッチングするように、前記認識された設計上のタッチ点を基準点として利用することにより座標回転を行うこと、
　をさらに含む請求項８に記載のスタンプタッチ認証方法。
　　【請求項１０】
　前記タッチスタンプは、単一の設計上のタッチ部を、分割されたｎ(ｎ≧４)個の分割エリア内の設計上のエリアにおける固定位置に配置すること、
　単一のタッチ部を、前記設計上のエリアにおける算出された位置に配置すること、
　残りのタッチ部を、ｎ−１個の分割エリアにおける算出された位置にそれぞれ配置すること
　により設計製作される請求項１に記載のスタンプタッチ認証方法。
　　【請求項１１】
　前記タッチ認証条件は、前記タッチスタンプを利用するスタンプ利用先の位置情報とマッピングされて保存され、
　前記タッチ認識情報を伝送した無線端末の位置情報を確認することと、
　前記保存媒体に保存されたタッチ認証条件のうち、前記無線端末の前記位置情報とマッチングされる位置情報とマッピングされ保存されたタッチ認証条件を、前記タッチ点の算出された前記幾何学的位置関係と比較される設計上の幾何学的位置関係を含む比較対象タッチ認証条件で確認すること、
　をさらに含む請求項１に記載のスタンプタッチ認証方法。
　　【請求項１２】
　前記タッチ認証条件は、前記タッチスタンプに提供された音声出力機能を通じて出力される音声信号で符号化された固有コードまたはワンタイムコードを認証するための認証条件をさらに含み、
　前記タッチ認識情報が、前記音声信号で符号化された固有コードまたはワンタイムコードを含む場合に、前記タッチ認識情報に含まれる前記固有コードまたは前記ワンタイムコードを確認することと、
　前記タッチ認証条件の認証条件を利用して確認された前記固有コードまたは前記ワンタイムコードの有効性を認証することと、をさらに含み、
　前記第６段階は、前記タッチ点の前記幾何学的位置関係の解析結果と前記固有コードまたは前記ワンタイムコードの認証結果を組み合わせて前記タッチ認証結果を生成することをさらに含む、
　請求項１に記載のスタンプタッチ認証方法。
　　【請求項１３】
　前記タッチ認証条件は、前記タッチスタンプに提供されたＮＦＣチップを通じて送信される無線周波数信号で符号化された固有コードまたはワンタイムコードを認証するための認証条件をさらに含み、
　前記タッチ認識情報が、前記ＮＦＣチップから受信された固有コードまたはワンタイムコードを含む場合に、前記タッチ認識情報に含まれる前記固有コードまたは前記ワンタイムコードを確認することと、
　前記タッチ認証条件の認証条件を利用して確認された前記固有コードまたは前記ワンタイムコードの有効性を認証することと、をさらに含み、
　前記第６段階は、前記タッチ点の前記幾何学的位置関係の解析結果と前記固有コードまたは前記ワンタイムコードの認証結果を組み合わせて前記タッチ認証結果を生成することをさらに含む、
　請求項１に記載のスタンプタッチ認証方法。」
第５　引用例
１　引用例１に記載された事項
　原査定の拒絶の理由において引用した，本願の原出願（特願２０１５−５４２９５９）の第一国出願前に既に公知である，米国特許第８３１０４５３号明細書（２０１２年１１月１３日公開。以下，これを「引用例１」という。）には，関連する図面と共に，次の事項が記載されている。（下線は当審で付加。以下同様。）
Ａ　“FIELD OF THE INVENTION
　
The invention relates 
 to security systems for touch-screen electronic devices
BACKGROUND
　Many electronic devices such as Personal Computers (PCs), portable email retrieval devices, cellular phones, Personal Digital Assistants (PDAs), laptops, and other communication devices as well as point-of-sale (e.g., cash registers) systems utilize a touch-screen as a user input device. The popularity of touch-screens has further increased as a result of their increased functionality. More specifically, legacy touch-screen technology reacts to only a single point-of-contact. Now, touch-screen technology recognizes commands that include multiple points-of-contact on the touch-screen.
　
As electronic devices have become increasingly smaller and capable of providing increased functionality, so too has the need to maintain the security of such electronic devices
While the use of passwords helps to ensure that only licensed users are allowed access to the electronic device and applications stored thereon, the passwords can become cumbersome to enter
　
The primary means of entering a sign-in password with touch screen devices is via a “stylus pen,” where the user is required to enter the password by either pressing keys on a virtual keyboard or using specialized graffiti language.
　
It would be desirable to
provide a more secure portable electronic device that is also easily accessible.
（当審訳：
「発明の分野
　
本発明は
タッチスクリーン式の電子デバイスのためのセキュリティシステムに関するものである
背景
　PC(Personal Computer)，携帯電子メール検索装置，携帯電話，携帯情報端末(PDA)，ラップトップ，および他の通信デバイスなどの多くの電子デバイスはもちろんのこと，ＰＯＳ(例えば，キャッシュレジスタ)システムは，ユーザ入力装置としてタッチスクリーンを利用する。タッチスクリーンの人気は，それらの増大した機能の結果としてさらに増加している。より具体的には，従来のタッチスクリーン技術は，単一接触点に反応する。ここでは，タッチスクリーン技術はタッチスクリーン上の複数の接点を含むコマンドを認識する。
　
電子デバイスが小型化され，高機能化するほど，ますますこのような電子デバイスのセキュリティを維持する必要がある。
パスワードの使用は，ライセンスを受けたユーザが，格納された電子デバイスおよびアプリケーションへのアクセスを許可されることを保証するのに役立つが，パスワードを入力することは厄介になる
　
タッチスクリーンデバイスにログインパスワードを入力するための主たる入力手段は“スタイラスペン”を介して，ユーザは，仮想キーボード上のキーを押すか，または特殊化されたグラフィティ言語を用いてパスワードを入力することを要求される。
　なお，タッチスクリーンデバイス並びにそれに関連するドライバの新興技術を利用しても容易にアクセス可能であるが，
よりアクセスしやすくかつセキュアな携帯電子機器を提供することが望ましい
Ｂ　“SUMMARY
　These and other needs are addressed by various embodiments and configurations of the present invention. The present invention is directed generally to a system, device, and method for facilitating a touch screen sign-in key. The method generally comprises:
　simultaneously detecting a plurality of contact points on a touch-screen of an electronic device, wherein the contact points correspond to contact sensing elements of the touch-screen that have been activated by receiving contact from a sign-in key;
　analyzing the plurality of contact points;
　determining key information based on the plurality of contact points; and
　making a determination to admit or deny a user access to the electronic device based on the determined key information.
　In accordance with at least some embodiments of the present invention, 
a sign-in key containing a plurality of pins or contactors laid out in a random order is provided
This sign-in key may be presented to the touch-screen thus creating the contact points
operable to recognize the relative orientation of the contact points (i.e., the pattern and configuration of the contact points) and make a determination to either admit or deny a user access to the electronic device and/or applications stored thereon
　This approach of authenticating one's self to an electronic device (e.g., via presenting a sign-in key to a touch-screen of an electronic device) is faster than previously proposed security systems as there is no longer a need to enter a username and password using the touch-screen graffiti language via a stylus, for example.”（１欄４７行−２欄１５行）
（当審訳：
「発明の概要
　これらの必要性および他の必要性は，本発明の様々な実施形態および構成によって述べられる。本発明は，一般的にシステム，装置，およびタッチスクリーンのサインインキーを容易に用いる方法を対象とする。この方法は，一般的に以下を含む。
　サインインキーからの接触を受けることによって活性化された，タッチスクリーンの接触感知素子に対応する，電子デバイスのタッチスクリーン上の複数の接触点を検出すると同時に，
　複数の接触点を分析し，
　複数の接触点に基づいたキー情報を決定し，
　決定されたキー情報に基づいて，電子デバイスへのユーザのアクセスを許可または拒否の判定をする。
　本発明の少なくともいくつかの実施形態によれば，
ランダムに配置された複数のピン又は接触子を含んでいるサインインキーが提供される
このサインインキーはタッチスクリーンに提示され，それにより接触点を形成することができる
接触点(すなわち，接触点のパターン及び形状)の相対的な向きを認識し，かつ電子デバイスおよび/またはそこに格納されているアプリケーションへのユーザのアクセスを許可または拒否の判定をするように動作可能である
　電子デバイスへ自分自身を認証するこのアプローチ（例えば，電子デバイスのタッチスクリーンにサインインキーを提示するなど）は，従来提案されたセキュリティシステムよりも高速であり，例えば，スタイラスを介してユーザ名とパスワードをタッチスクリーングラフィティ言語を用いて入力する必要性がもはやなくなる。」）
Ｃ　“In accordance with at least some embodiments of the present invention, 
the touch-screen 104 may comprise a series of contact grids uniformly spaced elements.
each element may be reactive to simultaneously detect contact.
　With reference now to FIGS. 2A and 2B, a first key 200 will be described in accordance with at least some embodiments of the present invention. 
The key 200 may comprise a base 204 having a plurality of contactors 208 located thereon. The contactors 208 of the first key 200 may be in a two-dimensional configuration as can be seen in FIG. 2A. The location of the contactors 208 on the base 204 may be randomly assigned and the size of the contactors 208 may correspond to the size of the contact detecting elements used in the touch-screen 104.
（当審訳：
「本発明の少なくともいくつかの実施形態によれば，
タッチスクリーン104は，接触グリッドの均一に離間された一連の要素を備え得る。
各要素は，同時に接触を検出するために反応性であってもよい。
　図2A及び図2Bを参照し，本発明の少なくともいくつかの実施形態に従って，第1のキー200が説明される。
第１のキー200は，その上に配置される複数の接触子208を有するベース204を含んでいてもよい。第1のキー200の接触子208は，図2Aに見ることができるような2次元形状であってもよい。ベース204上に，接触子208の位置はランダムに割り当てられてもよく，また接触子208のサイズは，タッチスクリーン104に使用される接触検知要素のサイズに対応することができる。
Ｄ　「
図２Ａ，２Ｂ」
Ｅ　“FIGS. 4A-4D depict the various ways that a key 200, 300 can be presented to a touch-screen 104 for a user to activate the electronic device 100 or otherwise gain access to one or more applications stored thereon. The key 200, 300 may be presented to the touch-screen 104 in any location where the touch-screen 204 is sensitive and responsive to multiple simultaneous contact points. As can be seen in FIGS. 4A and 4B, a two-dimensional key 200 may contact the touch-screen 104 at a contact area 400. As can be seen in FIGS. 4C and 4D, the one-dimensional key 300 may be presented to the touch-screen 104 at any location or rotational orientation. Although not depicted, one skilled in the art will also recognize that 
the two-dimensional key 200 may be presented to the touch-screen 104 in any location and/or rotational orientation.
　The contact area 400 may comprise a plurality of contact sensitive elements that are contacted by the contactors 204, 208 of the key 200, 300. 
These points of contact also referred to herein as contact points 404 are registered by the electronic device 100 to determine if the user presenting the key 200, 300 is allowed access to the electronic device 100 or applications stored thereon.
（当審訳：
「図4A〜図4Dは，ユーザが電子デバイス100やその他で実行されるアプリケーションへのアクセスを得るため，タッチスクリーン104上にキー200,300がタッチされる，様々な態様を示す。キー200，300は，タッチスクリーン104上のどのような位置にも配置され，複数の同時接触点に反応して検知可能である。図4A，4Bに見ることができるように，2次元キー200は，コンタクト領域400のタッチスクリーン104と接触することができる。図4Cと4Dに見ることができるように，一次元キー300は，任意の位置又は回転位置でタッチスクリーン104に表示されてもよい。図示していないが，当業者はまた，
2次元配列のキー200は，任意の位置および/または回転配向においてタッチスクリーン104に提示され
　接触領域400は，接触子204，200，208，300により接触される接触感知する複数の要素を備えていてもよい。本明細書で
接触点404とも呼ばれるこれらの接触点は，キー200
を提示しているユーザが，電子デバイス100へのアクセス，またはその上に格納されたアプリケーションへのアクセスが許可されるよう決定されるように，電子デバイス100によって登録されている。
Ｆ　“Referring now to FIG. 6, a method of initializing security features of the electronic device 100 will be described in accordance with at least some embodiments of the present invention. The method begins by identifying a user that is requesting protection of an electronic device 100 (step 604). The step of identifying a user and the user's information is useful in situations where there are more than one user allowed to use and/or access a particular electronic device 100. The information retrieved during this identification step may include the user name, employee number, access credentials, and the like. The user then presents a key 200, 300 to the touch-screen 104 of the electronic device 100 that the user would like to use when signing back in to the electronic device 100.
　
After the user has been identified and presented the key 200
to the touch-screen 104, the method continues with the device security application 528 employing the contact detection module 532 and contact analysis module 536 to determine the number of contact points 404 on the touch-screen 104 
　
Once the number of contact points 404 have been determined, the method continues with the contact analysis module 536 determining, for each contact point 404, the distance to the closest two contact points 404
　
The contact analysis module 536 may then determine, for each contact point 404, the relative angle created between the contact point 404 under inspection and the two closest contact points 404 
　
After the distances and angles have been determined for each contact point 404, the device security application 528 may save the key information so that a user can present the same key 200
at a later point-in-time and access the electronic device 100
These determined distances and relative angles may be used to recognize when the same key 200
is presented at a later time. 
（当審訳：
「ここで図6を参照して，本発明の少なくともいくつかの実施形態に従って電子デバイス100のセキュリティ機能を初期化する方法が説明される。この方法は，電子デバイス100の保護を要求するユーザを識別することから始まる(ステップ604)。ユーザおよびユーザの情報を識別するステップは，特定の電子デバイス100を使用及び/又はアクセスする2人以上のユーザが存在する状況において有用である。この識別ステップの間に検索された情報は，ユーザ名，従業員番号，アクセス証明書などを含むことができる。ユーザはそして，後に電子デバイス100にサインインしたいときに，キー200，300を電子デバイス100のタッチスクリーン104上に提示する。
　
ユーザが識別され，キー200
をタッチスクリーン104上に提示した後，
接触検知モジュール532，接触解析モジュール536を使用して，デバイスセキュリティアプリケーション528によってタッチスクリーン104の接触点404の数を決定する
　
接触点404の数が決定されると，方法は，各接触点404につき，距離が最も近い2点の接触点404の相対角度を決定するように進む
　
接触解析モジュール536は，次いで，各接触点404について，検査中の接触点404と２つの近接する接触点とで形成される相対角度を決定してよい
　
各接触点404毎に距離及び角度が決定された後，デバイスセキュリティアプリケーション528は，キー情報を保存することができる
これにより，ユーザは，後の時点で同一のキー200
を提示し，電子デバイス100にアクセスすることができるようになる
これらの決定された距離及び相対角度は，同一のキー200
が後に提示される場合に認識するために使用されてよい。
Ｇ　“With reference now to FIG. 7, 
a method of completing a user sign-in process will be described
The method is initiated when the contact detection module 532 detects at least one point of contact at the user input 512
　If a key is not required, then the device security application 528 allows the user to access the electronic device 100 and the user may utilize the electronic device 100 in the normal fashion (step 732). On the other hand, if there is some security desired for the electronic device 100 and a key is required to be presented before the user can access the electronic device 100, then the method continues with the device security application 528 employing the contact detection module 532 to determine the number of contact points 404 on the touch-screen 104 (step 712). This step is similar to step 608 described in connection with FIG. 6.
　
After the contact detection module 532 has determined the number of contact points 404 detected, it can access the stored key information to determine which, if any, keys have the same number of contact points 404.
The contact analysis module 536 continues by determining the location information for each contact point 404
the contact analysis module 536 determines when contact detecting elements in the touch-screen 104 have been contacted by a contactor 208
the contact analysis module 536 can determine, for each contact point 404, the distance to the closest two contact points 404 as well as the relative angle created there between
This location information for the key 200
it neither depends upon the location of the contact area 400 in the touch-screen 104 nor the rotational orientation of the key 200,
 on the touch-screen 104
　
Once the contact analysis module 536 has determined the necessary location information for the key 200
currently being presented to the touch-screen 104, the location information is compared to the stored key information to determine if there are any matches between the currently presented key 200
and any validated keys
If a match is found, then the relevant user information and key information is transferred from the contact analysis module to the device security application 528
if the device security application 528 validates the user and the key 200
presented to the touch-screen 104 as a valid key, then the user is allowed access to the electronic device 100
This way a plurality of users can be allowed general access to an electronic device 100 while only specified users are allowed access to certain sensitive information and/or applications
　As can be appreciated by one skilled in the art, although specific methods and algorithms have been described for determining key information based on the location of contact points 404 on a touch-screen 104 (e.g., via distance and angle calculations for near contact points 404), other known pattern recognition methods can be employed to determine key information and further determine whether a valid key has been presented to a touch-screen 104 based on the relative location of contact points 404.”（９欄１４行−１０欄３５行）
（当審訳：
「図7を参照して，本発明の少なくともいくつかの実施形態にしたがって
ユーザサインインプロセスを完了するための方法が説明される。この方法では，接触検出モジュール532が，ユーザ入力512の少なくとも1つの接触点を検出することによって開始される
　キーが必要とされない場合，デバイスセキュリティアプリケーション528は，ユーザが電子デバイス100にアクセスすることを許可し，ユーザは，電子デバイス100を通常の方法で利用することができる(ステップ732)。他方，電子デバイス100のために某かのセキュリティが必要とされ，ユーザが電子デバイス100にアクセスする際にキーの提示が求められるなら，方法は，デバイスセキュリティアプリケーション528が接触検知モジュール532を用いてタッチスクリーン104上の接触点404の数を決めるように続く(ステップ712)。このステップは，図6に関連して説明したステップ608と同様である。
　
接触検出モジュール532が接触点404の数を決定した後，格納されているキー情報にアクセスし，もしあるならば，どのキーが同じ接触点404の数をもつのかを決定することができる
接触解析モジュール536は続いて，各接触点404のための位置情報を判断する
接触解析モジュール536は，タッチスクリーン104における接触検出要素が，接触子208
によりいつ接触されたかを決定する。
接触解析モジュール536は，各接触点404毎に，近接２接触点間の距離とそれらの間で形成される相対角度を決定することができる
キー200
のこの位置情報は，タッチスクリーン104上の接触領域400に依存しないばかりか，キー200
の回転方向の位置にも依存しない
　
接触解析モジュール536は，現在タッチスクリーン104に提示されているキー200
の必要な位置情報を決定すると，当該位置情報と，タッチスクリーン104上に現在提示されているキー200
と任意の有効キーとの間で一致するか否かを決定する情報である保存されたキー情報とが比較される
一致が見つかった場合には，関連する利用者情報及びキー情報は，接触解析モジュールからデバイスセキュリティアプリケーション528に転送される
デバイスセキュリティアプリケーション528は，ユーザ及びタッチスクリーン104に提示されるキー200
を有効とする場合，ユーザは電子デバイス100へのアクセスを許可される
このようにして，複数のユーザによる電子デバイス100への一般的なアクセスを許可することができ，特定のユーザだけが，所定の機密情報および/またはアプリケーションへのアクセスが許可される
　当業者であれば理解されるように，特定の方法及びアルゴリズムは，タッチ画面104上の接触点404の位置に基づいて(例えば，近くの接触点404の距離・角度の計算を介して)，キー情報を決定することについて記載されているが，キー情報を決定し，接触点404の相対的な位置に基づいて有効キーがタッチスクリーン104に表示されているかどうかを更に決定するための他の既知のパターン認識方法を使用することができる。」）
２　引用発明
ア　上記記載事項Ａの「本発明は…（中略）…タッチスクリーン式の電子デバイスのためのセキュリティシステムに関するものである。」との記載，及び，上記記載事項Ｂの「ランダムに配置された複数のピン又は接触子を含んでいるサインインキーが提供される。このサインインキーはタッチスクリーンに提示され，それにより接触点を形成することができる。…（中略）…接触点(すなわち，接触点のパターン及び形状)の相対的な向きを認識し，かつ電子デバイスおよび/またはそこに格納されているアプリケーションへのユーザのアクセスを許可または拒否の判定をするように動作可能である。」との記載から，引用例１には，“タッチスクリーン式の電子デバイスのためのセキュリティシステムに関し，ランダムに配置された複数のピン又は接触子を含んでいるサインインキーをタッチスクリーンに提示し，それにより接触点を形成することができ，接触点のパターン及び形状の相対的な向きを認識し，かつ電子デバイスおよび/またはそこに格納されているアプリケーションへのユーザのアクセスを許可または拒否の判定をするように動作可能である方法”について記載されているといえる。
イ　上記記載事項Ｃの「タッチスクリーン104は，接触グリッドの均一に離間された一連の要素を備え…（中略）…各要素は，同時に接触を検出するために反応性であってもよい。…（中略）…第１のキー200は，その上に配置される複数の接触子208を有するベース204を含んでいてもよい。第1のキー200の接触子208は，図2Aに見ることができるような2次元形状であってもよい。ベース204上に，接触子208の位置はランダムに割り当てられてもよく，また接触子208のサイズは，タッチスクリーン104に使用される接触検知要素のサイズに対応することができる。」との記載，及び上記記載事項Ｄの図２Ａに図示されている様子から，引用例１には，“タッチスクリーンは，接触グリッドの均一に離間された一連の要素を備え，各要素は，同時に接触を検出するために反応性であ”ることが記載されているといえる。
　また，上記記載から，「第1のキー200」が「タッチスクリーン104」の上に接触されることを読取ることができ，このことは，当該「第1のキー200」が上記アの「タッチスクリーンに提示」されるところの「サインインキー」を表しているといえることから，引用例１には，“前記サインインキーは，その上に配置される複数の接触子を有するベースを含み，前記サインインキーの接触子は2次元形状であり，前記ベース上に，接触子の位置がランダムに割り当てられ，そのサイズは前記タッチスクリーンに使用される接触検知要素のサイズに対応する”ことが記載されているといえる。
ウ　上記記載事項Ｅの「2次元配列のキー200は，任意の位置および/または回転配向においてタッチスクリーン104に提示され…（中略）…接触点404とも呼ばれるこれらの接触点は，キー200…を提示しているユーザが，電子デバイス100へのアクセス，またはその上に格納されたアプリケーションへのアクセスが許可されるよう決定されるように，電子デバイス100によって登録されている。」との記載，及び上記イでの「サインインキー」の認定も踏まえると，引用例１には，“2次元配列のサインインキーは，任意の位置および/または回転配向においてタッチスクリーンに提示され，接触点は，サインインキーを提示しているユーザが，電子デバイスへのアクセス，またはその上に格納されたアプリケーションへのアクセスが許可されるよう決定されるように，電子デバイスによって登録され”ていることが記載されているといえる。
エ　上記記載事項Ｆの「ユーザが識別され，キー200…をタッチスクリーン104上に提示した後，…接触検知モジュール532，接触解析モジュール536を使用して，デバイスセキュリティアプリケーション528によってタッチスクリーン104の接触点404の数を決定する…（中略）…接触点404の数が決定されると，方法は，各接触点404につき，距離が最も近い2点の接触点404の相対角度を決定するように進む…（中略）…接触解析モジュール536は，次いで，各接触点404について，検査中の接触点404と２つの近接する接触点とで形成される相対角度を決定してよい…（中略）…各接触点404毎に距離及び角度が決定された後，デバイスセキュリティアプリケーション528は，キー情報を保存することができる。これにより，ユーザは，後の時点で同一のキー200…を提示し，電子デバイス100にアクセスすることができるようになる…（中略）…これらの決定された距離及び相対角度は，同一のキー200…が後に提示される場合に認識するために使用されてよい。」との記載，及び上記イでの「サインインキー」の認定も踏まえると，引用例１には，“ユーザが識別され，サインインキーをタッチスクリーン上に提示した後，接触検知モジュール及び接触解析モジュールを使用して，デバイスセキュリティアプリケーションによってタッチスクリーンの接触点の数を決定し，接触点の数が決定されると，各接触点につき，距離が最も近い2点の接触点の相対角度を決定し，接触解析モジュールは，次いで，各接触点について，検査中の接触点と２つの近接する接触点とで形成される相対角度を決定し，各接触点毎に距離及び角度が決定された後，デバイスセキュリティアプリケーションは，キー情報を保存し，これにより，ユーザは，後の時点で同一のサインインキーを提示し，電子デバイスにアクセスすることができるようになり，これらの決定された距離及び相対角度は，同一のサインインキーが後に提示される場合に認識するために使用され”ることが記載されているといえる。
オ　上記記載事項Ｇの，「ユーザサインインプロセスを完了するための方法が説明される。この方法では，接触検出モジュール532が，ユーザ入力512の少なくとも1つの接触点を検出することによって開始される…（中略）…接触検出モジュール532が接触点404の数を決定した後，格納されているキー情報にアクセスし，もしあるならば，どのキーが同じ接触点404の数をもつのかを決定することができる。」との記載から，引用例１には，“ユーザサインインプロセスにおいて，接触検出モジュールが，ユーザ入力の少なくとも1つの接触点を検出することによって開始され，接触点の数を決定した後，格納されているキー情報にアクセスし，もしあるならば，どのキーが同じ接触点の数をもつのかを決定する”ことが記載されているといえる。
　また，同じく上記記載事項Ｇの，「接触解析モジュール536は続いて，各接触点404のための位置情報を判断する…（中略）…接触解析モジュール536は，タッチスクリーン104における接触検出要素が，接触子208…によりいつ接触されたかを決定する。…（中略）…接触解析モジュール536は，各接触点404毎に，近接２接触点間の距離とそれらの間で形成される相対角度を決定することができる。」との記載，及び，「接触解析モジュール536は，現在タッチスクリーン104に提示されているキー200…の必要な位置情報を決定すると，当該位置情報と，タッチスクリーン104上に現在提示されているキー200…と任意の有効キーとの間で一致するか否かを決定する情報である保存されたキー情報とが比較される。…（中略）…一致が見つかった場合には，関連する利用者情報及びキー情報は，接触解析モジュールからデバイスセキュリティアプリケーション528に転送される。」との記載，及び上記イでの「サインインキー」の認定も踏まえると，引用例１には，“接触解析モジュールは続いて，各接触点のための位置情報を判断し，タッチスクリーンにおける接触検出要素が，接触子によりいつ接触されたかを決定し，各接触点毎に，近接２接触点間の距離とそれらの間で形成される相対角度を決定し，現在タッチスクリーンに提示されているサインインキーの必要な位置情報を決定すると，当該位置情報と，タッチスクリーン上に現在提示されているキーと任意の有効キーとの間で一致するか否かを決定する情報である保存されたキー情報とが比較され，一致が見つかった場合には，関連する利用者情報及びキー情報は，接触解析モジュールからデバイスセキュリティアプリケーションに転送され”ることが記載されているといえる。
　また，同じく上記記載事項Ｇの，「デバイスセキュリティアプリケーション528は，ユーザ及びタッチスクリーン104に提示されるキー200…を有効とする場合，ユーザは電子デバイス100へのアクセスを許可される…（中略）…このようにして，複数のユーザによる電子デバイス100への一般的なアクセスを許可することができ，特定のユーザだけが，所定の機密情報および/またはアプリケーションへのアクセスが許可される。」との記載から，引用例１には，“デバイスセキュリティアプリケーションは，タッチスクリーンに提示されているサインインキーが有効な場合，ユーザは電子デバイスへのアクセスを許可され，このようにして，複数のユーザによる電子デバイスへの一般的なアクセスを許可することができ，特定のユーザだけが，所定の機密情報および/またはアプリケーションへのアクセスが許可され”ることが記載されているといえる。
　また，同じく上記記載事項Ｇの，「キー200…のこの位置情報は，タッチスクリーン104上の接触領域400に依存しないばかりか，キー200…の回転方向の位置にも依存しない」との記載，及び上記イでの「サインインキー」の認定も踏まえると，引用例１には，“サインインキーの位置情報は，タッチスクリーン上の接触領域に依存しないばかりか，キーの回転方向の位置にも依存しない”ことが記載されているといえる。
カ　以上上記ア乃至オより，引用例１には，次の発明（以下「引用発明」という。）が記載されているといえる。
「タッチスクリーン式の電子デバイスのためのセキュリティシステムに関し，ランダムに配置された複数のピン又は接触子を含んでいるサインインキーをタッチスクリーンに提示し，それにより接触点を形成することができ，接触点のパターン及び形状の相対的な向きを認識し，かつ電子デバイスおよび/またはそこに格納されているアプリケーションへのユーザのアクセスを許可または拒否の判定をするように動作可能である方法であって，
　タッチスクリーンは，接触グリッドの均一に離間された一連の要素を備え，各要素は，同時に接触を検出するために反応性であり，
　前記サインインキーは，その上に配置される複数の接触子を有するベースを含み，前記サインインキーの接触子は2次元形状であり，前記ベース上に，接触子の位置がランダムに割り当てられ，そのサイズは前記タッチスクリーンに使用される接触検知要素のサイズに対応し，
　2次元配列のサインインキーは，任意の位置および/または回転配向においてタッチスクリーンに提示され，接触点は，サインインキーを提示しているユーザが，電子デバイスへのアクセス，またはその上に格納されたアプリケーションへのアクセスが許可されるよう決定されるように，電子デバイスによって登録されており，
　ユーザが識別され，サインインキーをタッチスクリーン上に提示した後，接触検知モジュール及び接触解析モジュールを使用して，デバイスセキュリティアプリケーションによってタッチスクリーンの接触点の数を決定し，接触点の数が決定されると，各接触点につき，距離が最も近い2点の接触点の相対角度を決定し，接触解析モジュールは，次いで，各接触点について，検査中の接触点と２つの近接する接触点とで形成される相対角度を決定し，各接触点毎に距離及び角度が決定された後，デバイスセキュリティアプリケーションは，キー情報を保存し，これにより，ユーザは，後の時点で同一のサインインキーを提示し，電子デバイスにアクセスすることができるようになり，これらの決定された距離及び相対角度は，同一のサインインキーが後に提示される場合に認識するために使用され，
　ユーザサインインプロセスにおいて，接触検出モジュールが，ユーザ入力の少なくとも1つの接触点を検出することによって開始され，接触点の数を決定した後，格納されているキー情報にアクセスし，もしあるならば，どのキーが同じ接触点の数をもつのかを決定し，
　接触解析モジュールは続いて，各接触点のための位置情報を判断し，タッチスクリーンにおける接触検出要素が，接触子によりいつ接触されたかを決定し，各接触点毎に，近接２接触点間の距離とそれらの間で形成される相対角度を決定し，現在タッチスクリーンに提示されているサインインキーの必要な位置情報を決定すると，当該位置情報と，タッチスクリーン上に現在提示されているキーと任意の有効キーとの間で一致するか否かを決定する情報である保存されたキー情報とが比較され，一致が見つかった場合には，関連する利用者情報及びキー情報は，接触解析モジュールからデバイスセキュリティアプリケーションに転送され，
　デバイスセキュリティアプリケーションは，タッチスクリーンに提示されているサインインキーが有効な場合，ユーザは電子デバイスへのアクセスを許可され，このようにして，複数のユーザによる電子デバイスへの一般的なアクセスを許可することができ，特定のユーザだけが，所定の機密情報および/またはアプリケーションへのアクセスが許可され，
　サインインキーの位置情報は，タッチスクリーン上の接触領域に依存しないばかりか，キーの回転方向の位置にも依存しない
方法。」
３　引用例２に記載された事項
　原査定の拒絶の理由において引用した，本願の原出願（特願２０１５−５４２９５９）の第一国出願前に既に公知である，特開平１１−１４９４５４号公報（平成１１年６月２日公開。以下，これを「引用例２」という。）には，関連する図面と共に，次の事項が記載されている。
Ｈ　「【００２１】座標検出器６は、入力された座標値を検出したり、抵抗式の場合には入力された座標に対応する抵抗値を検出したりなどするものである。
この座標検出器６は、ＣＲＴ上に表示された画面、液晶上に表示された画面、タブレットなどの入力された座標値を検出するものである。
Ｉ　「【００８２】図１７は、本発明の比較説明図（固定値）を示す。
位置検出装置で検出した座標には、検出誤差が含まれ、かつユーザ個人のペンの当て方にもクセがあり、検出座標と登録座標の比較には必ず許容範囲を設ける必要がある
Ｊ　「【００８５】以上によって、
許容範囲Δｘ、Δｙ（固定値）を設定し、画面１１上から検出した座標入力（Ｘ、Ｙ）が登録データの許容範囲Δｘ、Δｙにあるときに座標一致として判定し、座標入力時の誤差がある程度あっても許容範囲内のときは正しく判定されることとなる
４　引用例３に記載された事項
　原査定の拒絶の理由において引用した，本願の原出願（特願２０１５−５４２９５９）の第一国出願前に既に公知である，特開２０１２−１６８６１９号公報（平成２４年９月６日公開。以下，これを「引用例３」という。）には，関連する図面と共に，次の事項が記載されている。
Ｋ　「【００３５】
　ステップ３０４において、ＣＰＵ１０２は、ステップ３０２で
検出されたタッチがマルチタッチ（複数点に同時にタッチされている状態）であるか否かを判定する
距離が所定値以上であればマルチタッチであると判定し、所定値未満であればシングルタッチであると判定する
【００３６】
　タッチ検出周期は短く、また、
各点へのタッチは若干の時間差があるので、マルチタッチであってもタッチされた順にタッチ検出部１１２から座標データが出力される。したがって、最初に受信した座標データと、２番目以降に受信した数個の座標データの距離を計算すれば、シングルタッチであるかマルチタッチであるかを判定することができる。
５　引用例４に記載された事項
　原査定の拒絶の理由において引用した，本願の原出願（特願２０１５−５４２９５９）の第一国出願前に既に公知である，特開２００３−３４６０７７号公報（平成１５年１２月５日公開。以下，これを「引用例４」という。）には，関連する図面と共に，次の事項が記載されている。
Ｌ　「【００１３】ここで、本実施例において使用する２次元コード例えばマイクロＱＲコードについて、図３ないし図９を参照して説明する。まず、図３に従って、周知のマイクロＱＲコード３１について簡単に説明する。
このマイクロＱＲコード３１は、情報単位であるデータセルを配置したデータセル領域３１ａ（多数の白黒セルで埋まった幅広い逆Ｌ字状の領域）と、このデータセル領域３１ａの位置情報を記録したファインダーパターン領域３１ｂと、これらデータセル領域３１ａ及びファインダーパターン領域３１ｂの周囲に位置するように設けられ上記２つの領域３１ａ、３１ｂを他の領域と区画する周辺領域３１ｃ（矩形枠状の空白の領域）とから構成されている。
６　引用例５に記載された事項
　原査定の拒絶の理由において引用した，本願の原出願（特願２０１５−５４２９５９）の第一国出願前に既に公知である，特開平１１−１２０３１１号公報（平成１１年４月３０日公開。以下，これを「引用例５」という。）には，関連する図面と共に，次の事項が記載されている。
Ｍ　「【００１６】又、２次元コードは図４（Ａ）に示すように、図２（Ａ）に示すデータＬijと同じであるが、右端セルＬn15（ここで、nは１〜７）の基準マークを略して簡便に形成した点と、左端セルＬn1の左側に１セルの読取基準マークＭａが、右端セルＬn15の右側には１セルの読取基準マークＭｂが、前記拡大マーク１０ａ（又は１０ｂ）に対応させてほぼ中央に付記してある点を異にする。
【００１７】この２次元コードは、図４（Ｃ）に示すように、先ず、コードリーダの先端部１ｂを番組欄上におき、拡大鏡６を見ながら、読取基準マークＭａ、Ｍｂを拡大マーク１０ａ（又は１０ｂ）に合わせると、ＣＣＤカメラは、
２次元コードが基準位置に一致した状態で読み取ることができ、縦横の回転等のデータ補正を行うことなく解読可能となる。
【００１８】尚、前記２次元コードに附す読取基準マークＭａ、Ｍｂは、左右側の他、上下側であってもよいし、何れか１箇所であってもよい。即ち、拡大マーク１０ａ（又は１０ｂ）によって、
読取基準マークＭａ（又はＭｂ）を介して基準位置合わせを行うので、データの回転補正を行う必要がなく、例えば、読取基準マークＭａ（又はＭｂ）との基準位置合わせが行える程度の長さに形成してあれば、１個の読取基準マークＭａ（又はＭｂ）であってもよい。
７　引用例６に記載された事項
　原査定の拒絶の理由において引用した，本願の原出願（特願２０１５−５４２９５９）の第一国出願前に既に公知である，特開２０１０−２８２３２２号公報（平成２２年１２月１６日公開。以下，これを「引用例６」という。）には，関連する図面と共に，次の事項が記載されている。
Ｎ　「【００６０】
　図９は、認証ＩＤデータベース５７７のデータ構成の一例を示す図である。認証ＩＤデータベース５７７は、擬似衛星４が発信する認証ＩＤの履歴が記憶された認証ＩＤデータ５７８（５７８−１，５７８−２，５７８−３，・・・）が、擬似衛星別に蓄積・記憶されたデータベースである。
【００６１】
　認証ＩＤデータ５７８には、当該擬似衛星４の配置位置５７８１と対応付けて、認証ＩＤ５７８３と、当該認証ＩＤの生成日時５７８５と、当該認証ＩＤの有効期間５７８７とが対応付けて新しい順に記憶されている。本実施形態では、
認証ＩＤの今回の生成日時から次回の生成日時までの期間（図９では１０分間の期間）に、所定の猶予期間（例えば２分間）を付加した期間を有効期間として設定する。
【００６２】
　例えば、図９において、認証ＩＤデータ５７８−１は、配置位置の座標が（Ｘ１，Ｙ１，Ｚ１）である擬似衛星４が発信する認証ＩＤについてのデータである。認証ＩＤ「１２８９５６９５」は、「２００９年５月２０日１２時００分」に生成された認証ＩＤであり、その有効期間は、「２００９年５月２０日１２時００分〜２００９年５月２０日１２時１２分」である。」
Ｏ　「
図９」
８　引用例７に記載された事項
　原査定の拒絶の理由において引用した，本願の原出願（特願２０１５−５４２９５９）の第一国出願前に既に公知である，『蛭子  隆彦，音響信号を利用した個人認証システム，沖テクニカルレビュー，沖電気工業株式会社，２００６年　１月　１日，第２０５号，Ｖｏｌ．７３，Ｎｏ．１』（２００６年１月１日発行。以下，これを「引用例７」という。）には，関連する図面と共に，次の事項が記載されている。
Ｐ　「音響署名カードシステムとは
　
カード型の認証トークン「音響署名カード」から“音”になったワンタイムパスワードを発生し，ネットワークを経由して送られるこのワンタイムパスワードを認証サーバで検証する個人認証用のシステムである。
（1）適用分野
　各種システム，ネットワーク，アプリケーションでの個人認証ステージに適用が可能であり，
　●リモートアクセスユーザ認証
　●ASPサービスユーザ認証
　●電子商取引本人確認
　●コンタクトセンタ本人確認
等の不正侵入やなりすましの防止が強く求められる応用システムへの適用が効果的である。
（2）特徴
■ マイクロフォン入力
　
PC，PDA，Thin Client，電話等のマイクロフォンにより“音”を入力できる端末が利用でき，ワンタイムパスワード表示器，ICカードリーダ等の特殊な認証機器が不要である
■ 2要素認証
　暗証番号（PIN Code，数字4桁）認証と組み合わせた2要素認証により，セキュアな本人確認が可能である。」（５２ページ左欄１８行−右欄１６行）
９　引用例８に記載された事項
　原査定の拒絶の理由において引用した，本願の原出願（特願２０１５−５４２９５９）の第一国出願前に既に公知である，特開平５−８９２２０号公報（平成５年４月９日公開。以下，これを「引用例８」という。）には，関連する図面と共に，次の事項が記載されている。
Ｑ　「【００１３】上記構成のうち
電子印鑑1は、その刻印面に相当する側から所定の識別信号を発する構成を有しており、表示させようとする捺印イメージに応じて別々の識別信号を発する電子印鑑1が夫々別個に設けられている
Ｒ　「【００１６】
前記検出装置4は上述の様に表示器3と一体となったディスプレイ付きタブレットＸの構成から成っており、捺印待ち状態にある時に、電子印鑑1の接触でそこから発せられる前記識別信号を検出する
Ｓ　「【００２０】前記照合装置8は、前記信号変換装置5で変換された識別データと識別データ登録ファイル7に登録された識別データとの照合を行ない、照合された識別データに対応するイメージデータ格納ファイル6中の捺印イメージ用データの格納位置を照合結果として後述する捺印イメージ選択装置9に渡す機能を有している。」
１０　引用例９に記載された事項
　平成３０年１２月２８日付けの刊行物提出書において「文献７」として，令和１年８月２１日付けの刊行物提出書において「文献１」として引用され，本願の原出願（特願２０１５−５４２９５９）の第一国出願前に既に公知である，特表２００８−５２８２２６号公報（平成２０年７月３１日公表。以下，これを「引用例９」という。）には，関連する図面と共に，次の事項が記載されている。
Ｔ　「【００２４】
　図１ａは、本発明による駒１０の例である実施例の側面図を示す。
駒１０は、絶縁本体１３、２つの導電性起動可能サブパーツ１１及び１２を有する。
…（中略）…
【００３４】
　図５ａ、５ｂ及び５ｃは、
接触表面１０ａ内の電極接点１４、１５、１６のパターンを有する駒の３個の方位を示す
パターンは、回転非対称である
電極１４、１５、１６のパターンの盤に対する方位を変化することなく、駒を回転及び／又は置き換えることが不可能であることを示す
Ｕ　「
図５ａ−５ｃ」
第６　対比・判断
１　本願発明１について
（１）対比
　本願発明１と引用発明とを対比する。
（あ）引用発明の「タッチスクリーン」は，「接触グリッドの均一に離間された一連の要素を備え，各要素は，同時に接触を検出するために反応性であ」ることから，本願発明１の「静電式タッチスクリーン」とは，下記の点（相違点１）で相違するものの，“多重タッチを支援するタッチスクリーン”である点で一致するといえる。
　また，引用発明の「タッチスクリーン式の電子デバイスのためのセキュリティシステム」と，本願発明１の「多重タッチを支援する静電式タッチスクリーンと連携されたシステム」とは，同じく下記の点（相違点１）で相違するものの，“多重タッチを支援するタッチスクリーンと連携されたシステム”である点で一致するといえる。
　また，引用発明の「ランダムに配置された複数のピン又は接触子を含んでいるサインインキー」は，「タッチスクリーンに提示し，それにより接触点を形成することができ，接触点のパターン及び形状の相対的な向きを認識」した上で，「電子デバイスおよび/またはそこに格納されているアプリケーションへのユーザのアクセスを許可または拒否の判定をするように動作可能」となるよう用いられるものである。
　引用発明で，「電子デバイスおよび/またはそこに格納されているアプリケーションへのユーザのアクセスを許可または拒否の判定をするように動作可能」となることは，当該ユーザが認証されることを意味することから，引用発明の「サインインキーをタッチスクリーンに提示し，それにより接触点を形成することができ，接触点のパターン及び形状の相対的な向きを認識し，かつ電子デバイスおよび/またはそこに格納されているアプリケーションへのユーザのアクセスを許可または拒否の判定をするように動作可能である方法」は，本願発明１の「スタンプタッチ認証方法」と，互いに認証方法である点で共通するといえるから，以上を総合して，引用発明と本願発明１とは，下記の点（相違点１）で相違するものの，“多重タッチを支援するタッチスクリーンと連携されたシステムにおいて実行されるスタンプタッチ認証方法”である点で一致するといえる。
（い）引用発明の「サインインキー」に含まれる「ランダムに配置された複数のピン又は接触子」は，本願発明１の「タッチスタンプに具備されたタッチ部」に相当する。
　引用発明は，「デバイスセキュリティアプリケーションによってタッチスクリーンの接触点の数を決定し」た上，「各接触点につき，距離が最も近い2点の接触点の相対角度を決定」したり，「各接触点毎に距離」が「決定された」りするものであり，このうち，「距離が最も近い2点の接触点の相対角度」や「距離」は，「サインインキー」の「接触子」同士の角度及び距離にほかならず，本願発明１の「タッチスタンプに具備されたタッチ部の距離関係と角度関係」に対応する。そして，当該「相対角度」や「距離」はまた，「サインインキー」に含まれる「ランダムに配置された複数のピン又は接触子」の位置によって決まるものであるから，設計上の幾何学的位置関係ともいえ，そうすると，引用発明と本願発明１とは，“タッチスタンプに具備されたタッチ部の距離関係と角度関係の中で少なくとも一つを含む設計上の幾何学的位置関係”を共に含むものである点で共通する。
　また，引用発明の「サインインキー」は，「任意の位置および/または回転配向においてタッチスクリーンに提示され，接触点は，サインインキーを提示しているユーザが，電子デバイスへのアクセス，またはその上に格納されたアプリケーションへのアクセスが許可されるよう決定されるように，電子デバイスによって登録されて」いて，引用発明の「デバイスセキュリティアプリケーション」によって「保存」されるところの「キー情報」は，「ユーザ」が「後の時点で同一のサインインキーを提示し，電子デバイスにアクセスすることができるようになり，これらの決定された距離及び相対角度は，同一のサインインキーが後に提示される場合に認識するために使用され」るものであって，ユーザを認証するために使用しているともいえるから，本願発明１の「タッチ認証条件」に相当するものといえる。さらに，「キー情報」の「保存」は，所定の保存媒体への保存であることは自明であることから，以上を総合して，引用発明と本願発明１とは，“タッチスタンプに具備されたタッチ部の距離関係と角度関係の中で少なくとも一つを含む設計上の幾何学的位置関係を含むタッチ認証条件を保存媒体に保存する第１段階”を含む点で一致するといえる。
（う）引用発明は，「ユーザサインインプロセス」において，「接触検出モジュールが，ユーザ入力の少なくとも1つの接触点を検出することによって開始され」るところ，当該「少なくとも1つの接触点を検出」する前提として，当然にタッチスクリーンに接触することが行われていると認められ，当該タッチスクリーンに接触することが，本願発明１の「前記タッチスタンプの前記タッチ部を前記静電式タッチスクリーンにタッチすること」に対応する。引用発明はさらに，「接触解析モジュール」が「各接触点のための位置情報を判断」するところ，当該「判断」するために，上記「接触点」の位置に関する座標値等のなんらかの情報を含む，タッチされたことを認識するための情報，すなわち本願発明１の「構成要素値を含むタッチ認識情報」を取得することは明らかであり，したがって，引用発明と本願発明１とは，“前記タッチスタンプの前記タッチ部を前記タッチスクリーンにタッチすることにより認識される構成要素値を含むタッチ認識情報を受信する第２段階”を含む点で一致するといえる。
（え）引用発明は，「各接触点毎に，近接２接触点間の距離とそれらの間で形成される相対角度を決定」するものであるところ，各接触点毎に決定される近接２接触点間の距離とそれらの間で形成される相対角度は，本願発明１の「タッチ点間の相互位置関係」に相当し，また当該決定により，当該「タッチ点間の相互位置関係」を取得しているといえるから，上記（う）で認定した「構成要素値」の対応を踏まえると，引用発明と本願発明１とは，下記の点（相違点１及び相違点３）で相違するものの，“前記構成要素値を利用して前記タッチスクリーン上のタッチを通じて認識されたタッチ点間の相互位置関係を読み取る第３段階”を含む点で一致するといえる。
（お）引用発明は，「接触解析モジュール」が，「各接触点のための位置情報を判断し，タッチスクリーンにおける接触検出要素が，接触子によりいつ接触されたかを決定し，各接触点毎に，近接２接触点間の距離とそれらの間で形成される相対角度を決定し，現在タッチスクリーンに提示されているサインインキーの必要な位置情報を決定すると，当該位置情報と，タッチスクリーン上に現在提示されているキーと任意の有効キーとの間で一致するか否かを決定する情報である保存されたキー情報とが比較され」るものであり，当該「比較」される，「保存されたキー情報」には，上記（い）で検討した，「設計上の幾何学的位置関係を含むタッチ認証条件」が含まれていることは明らかであり，また，当該「保存されたキー情報」と比較される，「位置情報」は，本願発明１の「タッチ点の幾何学的位置関係」に相当するといえるから，上記（う）で認定した「構成要素値」の対応を踏まえると，引用発明と本願発明１とは，下記の点（相違点３）で相違するものの，“前記構成要素値を利用して，前記設計上の幾何学的位置関係と比較するための前記タッチ点の幾何学的位置関係を算出する第４段階”を含む点で一致するといえる。
（か）引用発明はさらに，「当該位置情報と，タッチスクリーン上に現在提示されているキーと任意の有効キーとの間で一致するか否かを決定する情報である保存されたキー情報とが比較され，一致が見つかった場合には，関連する利用者情報及びキー情報は，接触解析モジュールからデバイスセキュリティアプリケーションに転送され」るものであり，上記（お）で認定した「タッチ点の幾何学的位置関係」の対応を踏まえると，当該「比較」及び「一致が見つか」るための処理を行うことは，本願発明１の「マッチングするか否かを解析」することに対応するといえるから，引用発明と本願発明１とは，“算出された前記タッチ点の前記幾何学的位置関係が前記タッチ認証条件に含まれる前記設計上の幾何学的位置関係とマッチングするか否かを解析する第５段階”を含む点で一致するといえる。
　また，引用発明は，「一致が見つかった場合」に「接触解析モジュールからデバイスセキュリティアプリケーション」に，「関連する利用者情報及びキー情報」を「転送」しているところ，当該転送を行う前提として，当該「一致が見つかった」ことを示す情報を当然に生成しているものと認められるが，当該「一致が見つかった」ことを示す情報が，本願発明１の「タッチ認証結果」に相当する。よって，引用発明の「接触解析モジュールは続いて，各接触点のための位置情報を判断し，タッチスクリーンにおける接触検出要素が，接触子によりいつ接触されたかを決定し，各接触点毎に，近接２接触点間の距離とそれらの間で形成される相対角度を決定し，現在タッチスクリーンに提示されているサインインキーの必要な位置情報を決定すると，当該位置情報と，タッチスクリーン上に現在提示されているキーと任意の有効キーとの間で一致するか否かを決定する情報である保存されたキー情報とが比較され，一致が見つかった場合には，関連する利用者情報及びキー情報は，接触解析モジュールからデバイスセキュリティアプリケーションに転送され」ることと，本願発明１の「算出された前記タッチ点の前記幾何学的位置関係が許容された誤差範囲内で前記設計上の幾何学的位置関係とマッチングするか否かを解析したタッチ認証結果を生成する第６段階」とは，下記の点（相違点２）で相違するものの，“算出された前記タッチ点の前記幾何学的位置関係が前記設計上の幾何学的位置関係とマッチングするか否かを解析したタッチ認証結果を生成する第６段階”を含む点で一致するといえる。
（き）本願発明１の「第２段階」において，「適用して判断」されるところの，「同時タッチ条件」は，例えばタッチスタンプに具備されたＮ個のタッチ部が静電式タッチスクリーンに同時にタッチされるかを判断する条件を意味し（本願明細書段落０１１３），二つ以上のタッチ点が認識されるかを確認した上，一定時間内に確認されたタッチ点の個数がＮ個であれば，前記同時タッチ条件を満足するとして判断されるものである（同段落０１１５）。
　これに対し，引用発明は，「ユーザサインインプロセス」において，「接触検出モジュールが，ユーザ入力の少なくとも1つの接触点を検出」して「接触点の数を決定」しているところ，上記「接触点の数」の「決定」においては，複数の接触点を同時に検出していることが明らかである。
　してみれば，上記「接触点の数」の「決定」は，本願発明１の「前記タッチ部の前記静電式タッチスクリーンへのタッチ」を判断するための「タッチ条件」のうちの１つである，「同時タッチ条件」を適用して判断していることに対応するから，引用発明と本願発明１とは，“第２段階は，前記タッチ部の前記タッチスクリーンへのタッチを，同時タッチ条件，固定タッチ条件，静的タッチ条件，動的タッチ条件の少なくとも１つのタッチ条件を選択的に適用して判断すること，を含む”点で一致するといえる。
（く）以上，（あ）乃至（き）の検討から，引用発明と本願発明１とは，次の一致点及び相違点を有する。
〈一致点〉
　多重タッチを支援するタッチスクリーンと連携されたシステムにおいて実行されるスタンプタッチ認証方法であって，
　タッチスタンプに具備されたタッチ部の距離関係と角度関係の中で少なくとも一つを含む設計上の幾何学的位置関係を含むタッチ認証条件を保存媒体に保存する第１段階と，
　前記タッチスタンプの前記タッチ部を前記タッチスクリーンにタッチすることにより認識される構成要素値を含むタッチ認識情報を受信する第２段階と，
　前記構成要素値を利用して前記タッチスクリーン上のタッチを通じて認識されたタッチ点間の相互位置関係を読み取る第３段階と，
　前記構成要素値を利用して，前記設計上の幾何学的位置関係と比較するための前記タッチ点の幾何学的位置関係を算出する第４段階と，
　算出された前記タッチ点の前記幾何学的位置関係が前記タッチ認証条件に含まれる前記設計上の幾何学的位置関係とマッチングするか否かを解析する第５段階と，
　算出された前記タッチ点の前記幾何学的位置関係が前記設計上の幾何学的位置関係とマッチングするか否かを解析したタッチ認証結果を生成する第６段階と，を含み，
　前記第２段階は，
　前記タッチ部の前記タッチスクリーンへのタッチを，同時タッチ条件，固定タッチ条件，静的タッチ条件，動的タッチ条件の少なくとも１つのタッチ条件を選択的に適用して判断すること，を含む
スタンプタッチ認証方法。
〈相違点１〉
　本願発明１の「タッチスクリーン」が，「静電式タッチスクリーン」であるのに対し，引用発明の「タッチスクリーン」は，静電式であることが特定されていない点。
〈相違点２〉
　本願発明１が，「算出された前記タッチ点の前記幾何学的位置関係」と「タッチ認証条件に含まれる前記設計上の幾何学的位置関係」との間で，「許容された誤差範囲内で」マッチングするか否かを解析するのに対し，引用発明は，「接触解析モジュール」により，「位置情報と，タッチスクリーン上に現在提示されているキーと任意の有効キーとの間で一致するか否かを決定する情報である保存されたキー情報とが比較され」るものの，当該「比較」において，許容された誤差範囲内での「一致」をみるかについては特定されていない点。
〈相違点３〉
　本願発明１の「第３段階」が，「静電式タッチスクリーン上のタッチを通じて認識されたタッチ点間の相互位置関係」の「読み取り」のほかに，「前記タッチ点間の前記相互位置関係が、前記タッチスタンプの前記タッチ部を前記静電式タッチスクリーン上にタッチすることにより形成できる位置関係の範囲内に入るか否かを判定する」ものであり，「第４段階」において，「前記タッチ点間の前記相互位置関係が、前記タッチスタンプの前記タッチ部をタッチすることにより形成できる前記位置関係の範囲内に入ると判定された場合」に，「タッチ点の幾何学的位置関係を算出する」ものであるのに対し，引用発明は，「接触解析モジュール」が「各接触点のための位置情報を判断し，タッチスクリーンにおける接触検出要素が，接触子によりいつ接触されたかを決定し，各接触点毎に，近接２接触点間の距離とそれらの間で形成される相対角度を決定」するものであるが，タッチ部のタッチスクリーン上へのタッチにより形成できる位置関係の範囲内に入るか否かの判定を行うことが特定されていない点。
〈相違点４〉
　本願発明１の「第５段階」が，「前記タッチ点間の前記相互位置関係を読み取ることにより、前記タッチスタンプにおける設計上の固定位置に配置される単一の設計上のタッチ部に対応する単一の設計上のタッチ点を認識すること」と，「前記認識された設計上のタッチ点を基準点として利用することにより、算出された前記幾何学的位置関係が、許容された誤差範囲内で前記タッチ認証条件に含まれる前記設計上の幾何学的位置関係とマッチングするか否かを解析すること」を含むのに対し，引用発明は，「タッチスタンプにおける設計上の固定位置に配置される単一の設計上のタッチ部に対応する単一の設計上のタッチ点を認識する」ことの特定がなく，したがって，「前記認識された設計上のタッチ点を基準点として利用することにより、算出された前記幾何学的位置関係が、許容された誤差範囲内で前記タッチ認証条件に含まれる前記設計上の幾何学的位置関係とマッチングするか否かを解析すること」についての特定もない点。
〈相違点５〉
　本願発明１が，「前記単一の設計上のタッチ点が認識された際に、前記タッチ点、または算出された前記幾何学的位置関係が、前記タッチ認証条件に含まれる前記設計上の幾何学的位置関係とマッチングするように、前記認識された設計上のタッチ点を前記基準点として利用することにより座標回転を行うこと」をさらに含むのに対し，引用発明は，「設計上のタッチ点」を「基準点」とすることや，検出された「サインインキー」の「接触点」に関し，座標回転を行うことが特定されていない点。
（２）相違点についての判断
　事案に鑑み，先に相違点３乃至５について検討する。
　本願発明１は，スマートフォンなどの無線端末に具備された静電式タッチスクリーンは，ユーザの指によるタッチを入力手段で利用するように設計されており，それによって動作するように最適化されていて，当該静電式タッチスクリーンは多重タッチを支援し，指を利用した多重タッチを入力手段で利用するように設計されていることを技術的背景とし（本願明細書段落０００３），従来の入力手段で最適化された多重タッチ方式だけでは認証手段または識別手段で利用されるスタンプの固有性と便宜性を提供することが困難であったことを，その解決しようとする課題とし，複数のタッチ部を具備したスタンプを静電式タッチスクリーンのどの位置またはどの方向からタッチしてもいつも認識及び認証可能にして（同段落０００４），前記タッチスタンプを無線端末の静電式タッチスクリーンにタッチして指定されたサービスが提供されるようにすることを目的としたものである（同段落０００５）。
　一方，引用発明は，小型化された電子デバイスのセキュリティを維持するため，従来，パスワードを使用して，ライセンスを受けたユーザが，格納された電子デバイスおよびアプリケーションへのアクセスを許可されていたが，当該パスワードの入力は厄介であり，また，タッチスクリーンデバイスにログインパスワードを入力するための主たる入力手段は，スタイラスペンを介して，仮想キーボード上のキーを押すか，または特殊化されたグラフィティ言語を用いてパスワードを入力していたことを背景とし（上記記載事項Ａ），「その上に配置される複数の接触子を有するベース」を含み，当該「接触子は2次元形状であり，前記ベース上に，接触子の位置がランダムに割り当てられ，そのサイズは前記タッチスクリーンに使用される接触検知要素のサイズに対応し」た「サインインキー」を用いることにより，「複数のピン又は接触子がランダムな配置で含むサインインキーをタッチスクリーンに提示し，それにより接触点を形成することができ，接触点のパターン及び形状の相対的な向きを認識し，かつ電子デバイスおよび/またはそこに格納されているアプリケーションへのユーザのアクセスを許可または拒否の判定をするように動作可能」としたものである。
　そして，本願発明１と引用発明とは，上記一致点に示したとおり，“タッチスタンプに具備されたタッチ部の距離関係と角度関係の中で少なくとも一つを含む設計上の幾何学的位置関係”と“タッチ点の幾何学的位置関係”とが“マッチングするか否か”の“解析”を行うことにより，“タッチ認証結果を生成する”点では共通するものの，「前記タッチ点間の前記相互位置関係が、前記タッチスタンプの前記タッチ部を前記静電式タッチスクリーン上にタッチすることにより形成できる位置関係の範囲内に入るか否かを判定する」こと（相違点３），「タッチスタンプにおける設計上の固定位置に配置される単一の設計上のタッチ部に対応する単一の設計上のタッチ点を認識」すること（相違点４），及び，当該「単一の設計上のタッチ点」を「基準点として利用することにより座標回転を行うこと」（相違点５）については，引用例１には記載も示唆もされておらず，当該事項は，その他引用例２乃至８の上記記載事項Ｈ乃至Ｓにも記載されていない。
　さらに，平成３０年１２月２８日及び令和１年８月２１日受付で提出された刊行物提出書における上記引用例９にも，「電極接点」（本願発明１の「タッチスタンプに具備されたタッチ部」に対応。）が，「回転非対称」であったり，「電極１４、１５、１６のパターンの盤に対する方位を変化することなく、駒を回転及び／又は置き換えることが不可能である」ことまでは記載されている（上記記載事項Ｔ参照。）ものの，「前記タッチ点間の前記相互位置関係が、前記タッチスタンプの前記タッチ部を前記静電式タッチスクリーン上にタッチすることにより形成できる位置関係の範囲内に入るか否かを判定する」こと（相違点３），「タッチスタンプにおける設計上の固定位置に配置される単一の設計上のタッチ部に対応する単一の設計上のタッチ点を認識」すること（相違点４），及び，当該「単一の設計上のタッチ点」を「基準点として利用することにより座標回転を行うこと」（相違点５）については同様に開示が認められない。
　そうすると，引用発明に対し，引用例２乃至９に記載された技術的事項を適用しても，引用発明において，「タッチ点間の前記相互位置関係が、前記タッチスタンプの前記タッチ部を前記静電式タッチスクリーン上にタッチすることにより形成できる位置関係の範囲内に入るか否かを判定」する構成，及び，「タッチスタンプにおける設計上の固定位置に配置される単一の設計上のタッチ部に対応する単一の設計上のタッチ点を認識」し，当該「単一の設計上のタッチ点」を「基準点として利用することにより」，「前記タッチ点、または算出された前記幾何学的位置関係が、前記タッチ認証条件に含まれる前記設計上の幾何学的位置関係とマッチングするように」，「座標回転を行う」構成を採用することに想到するまでには至らない。また，上記の構成が，本願の原出願の第一国出願前の周知技術であるとする証拠もない。さらに，そもそも，引用発明自体から，上記構成を採用する動機付けを見いだすこともできない。
　したがって，上記その余の相違点について判断するまでもなく，本願発明１は，当業者であっても，引用発明，及び引用例２乃至８に記載された技術的事項，さらに刊行物提出書において提示された引用例９に記載された技術的事項に基づいて，容易に発明できたものとはいえない。
２　本願発明２乃至１３について
　本願発明２乃至１３は，本願発明１を直接ないし間接的に引用するものであるから，本願発明１と同じ理由により，当業者であっても，引用発明及び引用例２乃至８に記載された技術的事項に基づいて容易に発明できたものとはいえない。
第７　原査定について
＜特許法２９条２項について＞
　審判請求時の補正により，本願発明１乃至１３は，「前記単一の設計上のタッチ点が認識された際に、前記タッチ点、または算出された前記幾何学的位置関係が、前記タッチ認証条件に含まれる前記設計上の幾何学的位置関係とマッチングするように、前記認識された設計上のタッチ点を前記基準点として利用することにより座標回転を行う」という事項を有するものとなっており，当業者であっても，拒絶査定において引用された引用文献１乃至８（上記第５の引用例１乃至８）に基づいて，容易に発明できたものとはいえない。したがって，原査定の理由を維持することはできない。
第８　むすび
　以上のとおり，原査定の理由によっては，本願を拒絶することはできない。
　また，他に本願を拒絶すべき理由を発見しない。
　よって，結論のとおり審決する。